(57)【要約】【課題】図書館の蔵書管理や貸し出し管理を行う図書管理システムのコンピュータと通信可能な携帯端末を用いて、出先で購買対象の図書を決定することを支援する図書購買支援装置を提供する。【解決手段】図書購買支援装置２は、図書館の蔵書を管理する図書管理システムのコンピュータ１との通信を行うための通信インターフェイス２１と、図書のＩＳＢＮコード等の図書情報を入力するための入力操作部２４及びバーコードリーダ３と、入力された図書情報を通信インターフェイス２１を介して図書管理システムのコンピュータ１に送信し、コンピュータ１から返信された図書に関する在庫状況及び貸出状況を含む図書管理情報を取得する制御部２２と、制御部２２が取得した図書管理情報を画面に表示する表示部２３とを備えている。【選択図】  図１
2004258793.tif 000002
【特許請求の範囲】
【請求項１】
図書館から離れた場所で図書の購買を行う際に図書の在庫等を確認するための携帯端末を用いた図書購買支援装置であって、
図書館の蔵書を管理する図書管理システムのコンピュータとの通信を行うための通信手段と、
図書のＩＳＢＮコード等の図書情報を入力するための入力操作部と、
入力された図書情報を前記通信手段を介して前記図書管理システムのコンピュータに送信し、前記コンピュータから返信された前記図書に関する在庫状況及び貸出状況を含む図書管理情報を取得する制御部と、
前記制御部が取得した図書管理情報を画面に表示する表示部と
を備えていることを特徴とする図書購買支援装置。
【請求項２】
図書に付されたＩＳＢＮコード等のバーコードを読み取り、読み取った情報を前記制御部に転送するバーコードリーダを更に備えていることを特徴とする
請求項１記載の図書購買支援装置。
【請求項３】
図書館から離れた場所で図書の購買を行う際に図書の在庫状況等を確認するために、図書館の蔵書を管理する図書管理システムのコンピュータとの通信手段、入力操作部、表示部及び制御部を備えた携帯用図書購買支援装置の前記制御部に実行させるコンピュータプログラムであって、
前記入力操作部又はバーコードリーダを用いて購買対象の図書に付されているＩＳＢＮコードを含む図書情報を取得するステップと、
取得した１又は複数の図書情報を前記コンピュータに送信し、当該図書情報に一致する図書の在庫情報を前記コンピュータから取得するステップと、
取得した在庫情報を前記表示部の画面に一覧表示するステップと、
ユーザが選択した図書情報に一致する図書の貸出情報を前記コンピュータから取得するステップと、
取得した貸出情報を前記表示部の画面に一覧表示するステップと
を有することを特徴とするコンピュータプログラム。
【請求項４】
前記図書情報に価格情報が含まれ、ユーザが選択した１又は複数の購入予定図書とそれぞれの購入予定数量とから購入予定図書の総額を算出するステップと、前記総額を前記コンピュータから取得した予算額と比較し、比較結果を前記表示部の画面に表示するステップとを更に有することを特徴とするコンピュータプログラム。
【請求項５】
図書館から離れた場所で図書の購買を行う際に図書の在庫状況等を確認するために、図書館の蔵書を管理する図書管理システムのコンピュータとの通信手段、入力操作部、表示部及び制御部を備えた携帯用図書購買支援装置の前記制御部に実行させるコンピュータプログラムが記録されたコンピュータ読み取り可能な記録媒体であって、請求項３又は４記載のコンピュータプログラムが記録されていることを特徴とする記録媒体。
【発明の詳細な説明】
【０００１】
【発明の属する技術分野】
本発明は、図書館等における図書の購買を支援する図書購買支援システムに関する。詳しくは、図書館の蔵書管理や貸し出し管理を行う図書管理システムのコンピュータと通信可能な携帯端末を用いて、出先で購買対象の図書を決定するための支援システムに関する。
【０００２】
【従来の技術】
図書館等における図書の購買（購入）に際して、ＭＡＲＣ業者（図書館流通センター、大阪屋、日販等）との取引により新刊情報データを取得し、購入対象の図書を決定し発注を行うことが多い。あるいは、新刊案内の冊子を参照して購入対象の図書を決定し、発注することが多い。これらの通常の発注方法の他に、新聞、雑誌等の広告や案内を参照して書店経由で発注する場合もある。更に、流通業者と提携して開催されるブックフェア（図書の展示会）に参加して発注（購入）する場合もある。
【０００３】
通常の発注では、図書管理システムに登録される新刊情報データと図書や新刊案内に付されているコードを用いて、購入する図書を特定し発注データを作成することが可能である。しかし、ブックフェアに参加する場合のように、図書館の外で図書の購買を行う場合は、現場で購入対象の図書及び数量を決定し申込み用紙等に記入して発注する必要がある。
【０００４】
ブックフェアに参加して図書の購買を行う場合は、図書の購買担当者が図書館の在庫情報をすべて把握しているわけではないので、すでに十分な数量が所蔵されている図書を重複して購入する可能性がある。逆に十分な数量の所蔵があると勘違いして、あるいは、予算枠を気にして、購入すべき図書を買い控える可能性もある。その場合は、タイムリーな新刊書等の貸し出し需要に対応できないことになる。
【０００５】
なお、物品一般の在庫情報を管理用コンピュータから離れた場所で確認するための技術として、特開平７−１６８８９７号公報や特開２００１−２４５０６３号公報に記載されているように、携帯端末やバーコードリーダを用いた技術が知られている。
【０００６】
【発明が解決しようとする課題】
上記のように、図書の購買担当の図書館員又はその委託者がブックフェアのような図書館から離れた場所で図書の購買を行う際に、前もって図書館の在庫状況をすべて把握することは困難である。また、ブックフェアのような場所で新刊書や購入対象とすべき図書を見つけたときに、その在庫状況や貸出状況をその都度電話等で図書館に問い合わせるのは手間が掛かる。
【０００７】
そこで、本発明は、図書館の蔵書管理や貸し出し管理を行う図書管理システムのコンピュータと通信可能な携帯端末を用いて、出先で購買対象の図書を決定することを支援する図書購買支援装置を提供することを目的とする。
【０００８】
【課題を解決するための手段】
本発明による図書購買支援装置（請求項１）は、図書館から離れた場所で図書の購買を行う際に図書の在庫等を確認するための携帯端末を用いた図書購買支援装置であって、図書館の蔵書を管理する図書管理システムのコンピュータとの通信を行うための通信手段と、図書のＩＳＢＮコード等の図書情報を入力するための入力操作部と、入力された図書情報を前記通信手段を介して前記図書管理システムのコンピュータに送信し、前記コンピュータから返信された前記図書に関する在庫状況及び貸出状況を含む図書管理情報を取得する制御部と、前記制御部が取得した図書管理情報を画面に表示する表示部とを備えていることを特徴とする。
【０００９】
このような携帯端末を利用した図書購買支援装置を用いることにより、図書の購買担当の図書館員又はその委託者は、ブックフェアのような図書館から離れた場所で図書の購買を行う際に、購入予定図書の在庫や貸出状況等を前もって把握していなくても、あるいは電話で問い合わせることなく、購入予定図書の在庫や貸出状況を図書管理システムのコンピュータから取得することができる。したがって、購入対象図書及び購入数量を的確に決めることができる。
【００１０】
好ましい実施形態において、図書購買支援装置は、図書に付されたＩＳＢＮコード等のバーコードを読み取り、読み取った情報を前記制御部に転送するバーコードリーダを更に備えている。これにより、図書管理システムのコンピュータに在庫状況等を問い合わせる際に必要なＩＳＢＮコード等の図書情報を手入力しなくてもバーコードの読み取りによって簡単に入力することができる。
【００１１】
また、本発明によるコンピュータプログラムは、図書館から離れた場所で図書の購買を行う際に図書の在庫状況等を確認するために、図書館の蔵書を管理する図書管理システムのコンピュータとの通信手段、入力操作部、表示部及び制御部を備えた携帯用図書購買支援装置の前記制御部に実行させるコンピュータプログラムであって、前記入力操作部又はバーコードリーダを用いて購買対象の図書に付されているＩＳＢＮコードを含む図書情報を取得するステップと、取得した１又は複数の図書情報を前記コンピュータに送信し、当該図書情報に一致する図書の在庫情報を前記コンピュータから取得するステップと、取得した在庫情報を前記表示部の画面に一覧表示するステップと、ユーザが選択した図書情報に一致する図書の貸出情報を前記コンピュータから取得するステップと、取得した貸出情報を前記表示部の画面に一覧表示するステップとを有することを特徴とする。
【００１２】
このようなコンピュータプログラムを通信機能付の携帯端末（ＰＤＡ等）にインストールして実行されることにより、携帯用図書購買支援装置を実現し、上記のような効果を奏することができる。また、購買対象の図書の在庫情報だけでなく貸出情報をも図書管理システムのコンピュータから取得して表示することにより、購入対象の図書及び購入数量の決定が一層的確なものとなる。例えば、在庫がある図書であっても、貸出中の冊数や貸出予約登録数が多い場合は、人気が高いと考えられ、需要に応えるために更に追加購入の必要があると判断することができる。
【００１３】
好ましい実施形態において、前記図書情報に価格情報が含まれ、ユーザが選択した１又は複数の購入予定図書とそれぞれの購入予定数量とから購入予定図書の総額を算出するステップと、前記総額を前記コンピュータから取得した予算額と比較し、比較結果を前記表示部の画面に表示するステップとを更に有することを特徴とする。これにより、図書購買の機会が急に生じた場合のように、購買担当者が予算額をあらかじめ把握していない場合であっても、予算金額を考慮した的確な図書の購買を行うことができる。
【００１４】
上記のようなコンピュータプログラムは、例えばＣＤ−ＲＯＭのようなコンピュータ読み取り可能な記録媒体に記録された状態で供給され、記録媒体の読取装置を備えたコンピュータ（例えば図書管理システムのコンピュータ）を介して通信によって携帯端末（携帯用図書購買支援装置）にインストールすることができる。あるいはネットワークに接続されたサーバ等の他のコンピュータから図書管理システムのコンピュータにダウンロードし、携帯端末に転送（インストール）することも可能である。
【００１５】
【発明の実施の形態】
以下、本発明の実施形態を図面に基づいて説明する。
図１は、本発明の実施形態に係る図書購買支援装置を含む図書管理システムの概要を示す全体構成図である。図１において、図書館の蔵書の在庫管理や貸出管理を行うための図書管理システムがコンピュータ１を用いて構成されている。また、携帯端末２が通信によってコンピュータ１に接続され、携帯端末２にはバーコードリーダ（バーコードスキャナともいう）３が接続されている。携帯端末２及びバーコードリーダ３は本発明の図書購買支援装置を構成している。
【００１６】
携帯端末２には汎用のＰＤＡ（ｐｅｒｓｏｎａｌ  ｄｉｇｉｔａｌ  ａｓｓｉｓｔａｎｃｅ）端末を用いることができる。携帯端末２にはＯＳ（オペレーティングシステム）としてＷｉｎｄｏｗｓＣＥ又はＰａｌｍＯＳ（いずれも登録商標）がインストールされている。また、図書購買支援用のプログラム（ソフトウェア）が後述のようにして携帯端末２にインストールされ、実行される。
【００１７】
バーコードリーダ３は、携帯端末２の機能拡張端子（いわゆる外部メモリスロット又は拡張スロット）を介して携帯端末２と通信を行うための通信インターフェイスを備えている。このような通信インターフェイスのハードウェアとして、例えばＣＦ（コンパクトフラッシュ）カードコネクタがある。なお、バーコードリーダ一体型の携帯端末を用いてもよい。
【００１８】
また、携帯端末２はコンピュータ１との間でデータ通信を行うための通信インターフェイス（通信手段）２１を備えている。そのような通信インターフェイスとして、ＣＦカードコネクタ又は別のコネクタに接続される移動体通信用（携帯電話用）アダプタやＰＨＳアダプタを用いることができる。この場合、移動体通信会社の通信回線網又は／及び公衆交換網を介して携帯端末２と図書管理システムのコンピュータ１とがデータ通信を行うことができる。
【００１９】
図書購買支援装置を構成する携帯端末２は更に、図書購買支援用のプログラムにしたがって後述の処理を実行する制御部（マイクロコンピュータ）２２を備える。制御部２２には、プログラム記憶用のＲＯＭとデータ記憶用のＲＡＭが内蔵されている。また、携帯端末２は各種表示を行うためのＬＣＤからなる表示部２３と各種入力のための入力操作部２４とを備えている。
【００２０】
図書管理システムを構成するコンピュータ１は、例えばパーソナルコンピュータでよく、図書の在庫情報や貸出情報の管理のための図書管理プログラムがインストールされ、実行される。図書管理プログラムは、蔵書点検処理、予約管理処理、貸出し処理、返却処理、所蔵更新処理等の図書管理のための各種処理をコンピュータ１に実行させるためのプログラムである。このような図書管理プログラムの具体的な内容については公知である。
【００２１】
図書管理プログラムは、例えばＣＤ−ＲＯＭ（光ディスク）のような記録媒体６に記録された状態で供給され、読取装置７を介してコンピュータ１の補助記憶装置（ＨＤＤ）１３にインストールされる。補助記憶装置１３にインストールされた図書管理プログラムは主メモリ１２にロードされ、処理装置（ＣＰＵ）１４によって実行される。あるいは、ネットワークに接続されたサーバ等の他のコンピュータからコンピュータ１に図書管理プログラムをダウンロードしてインストールし、あるいは、ダウンロードしながら実行することも可能である。
【００２２】
また、図書購買支援装置を構成する携帯端末２にインストールして実行させる図書購買支援用のプログラムについても、記録媒体６に記録されたプログラムを読取装置７を介してコンピュータ１の補助記憶装置（ＨＤＤ）１３に一旦格納し、携帯端末２に転送することによって容易に携帯端末２にインストールすることができる。あるいは、ネットワークに接続されたサーバ等の他のコンピュータからコンピュータ１に図書購買支援用のプログラムをダウンロードして補助記憶装置（ＨＤＤ）１３に一旦格納し、携帯端末２に転送してもよい。
【００２３】
コンピュータ１は、主メモリ１２、補助記憶装置１３及び処理装置１４の他に、入力処理部１５ａ、表示処理部１６ａ及び通信部１１を備えている。入力処理部１５ａにはキーボード、マウス等の入力装置１５が接続され、表示処理部１６ａにはＣＲＴ（陰極線管）、ＬＣＤ（液晶表示装置）等の表示装置１６が接続されている。通信部１１は、図１の構成では携帯端末２との通信に使用されている。通信部１１は、公衆回線網及び／又は移動体通信網を介して携帯端末２とデータ通信を行うためのものである。
【００２４】
また、補助記憶装置１３には、オペレーティングシステムや図書管理プログラム等のソフトウェアの他に、図書管理のための各種データベース（ＤＢ）が格納されている。例えば所蔵情報ＤＢ１７、貸出情報ＤＢ１８及び予算ＤＢ１９が格納されている。
【００２５】
図２及び図３は、上記のような図書購買支援装置（携帯端末２）の制御部２２が図書購買支援用のプログラムにしたがって実行する処理のフローチャートである。
【００２６】
ステップ＃１０１において、制御部２２は購入対象の図書に付されたＩＳＢＮコードの情報（図書情報）を取得する。ユーザが携帯端末２に接続された（又は一体に装備された）バーコードリーダ３を用いてＩＳＢＮコードを表すバーコードを読み取ってもよいし、ＩＳＢＮコードを表すバーコードの下に記された数字列をユーザが読み取って携帯端末２の入力操作部２４から入力してもよい。
【００２７】
次のステップ＃１０２で制御部２２は価格情報を取得する。価格情報についても、ＩＳＢＮコードと同様に、購入対象の図書に付されたバーコードを読み取り、あるいはバーコードの下に記された数字列をユーザが読み取って入力することができる。続くステップ＃１０３では、ユーザが購入予定数量を入力操作部２４から入力する。これらの入力画面の表示例については後述する。
【００２８】
次のステップ＃１０４で在庫確認を行うか否かをチェックし、在庫確認を行う場合は続くステップ＃１０５で、図書管理システムのコンピュータ１から在庫情報を取得して表示する。すなわち、携帯端末２の制御部２２は、通信インターフェイス２１を介して図書管理システムのコンピュータ１と通信し、在庫情報の問い合わせを行う。
【００２９】
コンピュータ１は、携帯端末２から受信したＩＳＢＮコードに該当する図書の在庫について、補助記憶装置１３に格納された所蔵情報ＤＢ１７を検索し、得られた在庫情報を携帯端末２に返す。なお、ここでいう在庫情報は、貸出中の図書を含めて図書館の所蔵図書として登録されているか否かの情報を意味する。
【００３０】
在庫情報を図書管理システムのコンピュータ１から受信した携帯端末２の制御部２２は、ステップ＃１０６で購入予定図書の在庫情報を携帯端末２の表示部２３に一覧表示する。ユーザは、図書を購入するか否かの判断のために、表示された在庫情報を参考にすることができる。例えば、既に十分な在庫がある図書を購入する必要が無く、逆に在庫がゼロであれば、優先的に購入すべき図書であると判断することができる。
【００３１】
次のステップ＃１０７で、携帯端末２の制御部２２は、貸出状況の確認を行うか否かをチェックし、貸出状況の確認を行う場合は続くステップ＃１０８で、図書管理システムのコンピュータ１から在庫情報を取得して表示する。すなわち、携帯端末２の制御部２２は、通信インターフェイス２１を介して図書管理システムのコンピュータ１と通信し、貸出状況の問い合わせを行う。
【００３２】
コンピュータ１は、携帯端末２から受信したＩＳＢＮコードに該当する図書の貸出状況について、補助記憶装置１３に格納された貸出情報ＤＢ１８を検索し、得られた貸出情報を携帯端末２に返す。貸出情報を図書管理システムのコンピュータ１から受信した携帯端末２の制御部２２は、ステップ＃１０９で該当図書の貸出情報を携帯端末２の表示部２３に表示する。貸出情報は、貸出中の冊数や貸出予約登録数を含む。ユーザは、図書を購入するか否かの判断のために、表示された貸出情報を参考にすることができる。例えば、在庫がある図書であっても、貸出中の冊数や貸出予約登録数が多い場合は、人気が高いと考えられ、需要に応えるために更に追加購入の必要があると判断することができる。
【００３３】
次のステップ＃１１０（図３）において、携帯端末２の制御部２２は、予算確認を行うか否かをチェックし、予算確認を行う場合は続くステップ＃１１１で、図書管理システムのコンピュータ１から予算情報を取得して表示する。すなわち、携帯端末２の制御部２２は、通信インターフェイス２１を介して図書管理システムのコンピュータ１と通信し、予算の問い合わせを行う。
【００３４】
コンピュータ１は、補助記憶装置１３に格納された予算ＤＢ１９を検索し、得られた予算情報を携帯端末２に返す。予算情報を図書管理システムのコンピュータ１から受信した携帯端末２の制御部２２は、購入予定図書の総額を算出し（ステップ＃１１２）、総額を予算額と比較し、比較結果を携帯端末２の表示部２３に表示する（ステップ＃１１３）。
【００３５】
次のステップ＃１１４で追加購入を行うか否かのユーザの入力を待ち、追加購入を行う場合（ステップ＃１１４のＹｅｓ）はステップ＃１０１に戻る。追加購入を行わない場合（ステップ＃１１４のＮｏ）は、続くステップ＃１１５で購入数量の修正を行うか否かをチェックし、購入数量の修正を行う場合は続くステップ＃１１６で購入数量の修正入力処理を行う。この際、総額と予算額との比較を再度実行し、比較結果を表示部２３に再表示してもよい。
【００３６】
最後にステップ＃１１７で購入決定の確認を行い、ステップ＃１１８で購入依頼処理を行う。具体的には、注文書（又は注文内容の一覧表）を作成して最寄りのプリンタ付端末又はＦＡＸから印刷出力するといった処理を行う。ユーザが所定の注文書に記入するための注文内容を表示部２３に一覧表示するだけでもよい。
【００３７】
図４は、入力画面の表示例を示す図である。携帯端末２の表示部２３に表示される入力画面３０には、複数の購入予定（購買対象）図書について、ＩＳＢＮコードの入力ボックス３１、価格の入力ボックス３２及び購入数量の入力ボックス３３がそれぞれ設けられている。各入力ボックス３１〜３３には、上述のようにしてバーコードリーダで読み取られた数字列又は入力操作部２４から入力された数字列が表示される。図４では３冊分の購入予定図書について各入力ボックス３１〜３３が表示されているが、画面スクロール又はページ切り替えによって、４冊目以降についても同様に表示される。
【００３８】
図５は、在庫確認結果の画面の表示例を示す図である。携帯端末２の表示部２３に表示される購入予定図書在庫確認画面４０には、各購入予定図書について、ＩＳＢＮコード、バーコード及び購入数量の入力情報に続いて、図書管理システムのコンピュータ１から受信した在庫情報４１が表示されている。在庫情報４１は書名と在庫数を含む。この例では、３冊分の購入予定図書について在庫情報４１が表示されているが、４冊目以降の情報がある場合は、画面スクロール又はページ切り替えによって、４冊目以降についても同様に表示される。
【００３９】
また、各在庫情報４１の右側には貸出状況確認ボタンが４２表示されている。ただし、貸出数を含む在庫数がゼロである場合は、貸出状況確認ボタン４２は非表示又は透過表示（又はグレー表示）となる。貸出状況の確認を行う場合にユーザは、該当する貸出状況確認ボタン４２を押下（スタイラスペン等でタッチ）する。その結果、貸出情報として貸出中の冊数が表示される。貸出予約登録数を貸出情報に含めてもよい。
【００４０】
図６は、購入予算チェック画面の表示例を示す図である。携帯端末２の表示部２３に表示される購入予算チェック画面５０には、複数の購入予定図書の価格及び購入数を含む情報が一覧表５１として表示されている。また、購入予定図書の総額が算出され、一覧表５１の下の総額表示欄５２に表示されている。なお、購入数を変更する場合は、この一覧表５１の購入数の欄で直接の数値入力によって変更することができる。また、書名は、上述のように図書管理システムのコンピュータ１から受信した在庫情報に（在庫があれば）含まれている。在庫がない場合は、書名欄は空白である。
【００４１】
図６の購入予算チェック画面において、仮購入ボタン５３を押下すると、前述のように、図書管理システムのコンピュータ１から予算額を取得して購入予定図書の総額と比較する処理が実行される。その結果、図７及び図８に例示するような比較結果の表示が行われる。
【００４２】
図７は、購入予算チェック画面において仮購入ボタンを押下したときの比較結果の表示例を示す図である。この例は、購入予定図書の総額が予算額を超えた場合の表示例である。メッセージ表示欄５４に、購入予定図書の総額が予算額を超えた旨のメッセージが表示されている。ユーザは、この画面で購入予定図書の削除や購入数の削減を行い、購入予定図書の総額と予算額との比較を再度実行させることができる。あるいは、メッセージ表示欄５４に表示されたメッセージを無視して購入決定ボタン５５を押下し、購入依頼処理（図３のステップ＃１１８）を実行することも可能である。
【００４３】
図８は、購入予算チェック画面において仮購入ボタンを押下したときの比較結果の別の表示例を示す図である。図７の画面で購入予定図書を見直し、一部の購入数を削減した場合に相当する。この例では、購入予定図書の総額が予算額以下であることと、差額（余裕）がメッセージ表示欄５４に表示されている。
【００４４】
なお、上記の実施形態で示した具体的な処理内容、処理手順及び画面表示は一例に過ぎない。本発明はこれらに限定されず種々の形態で実施することが可能である。
【００４５】
【発明の効果】
以上に説明したように、本発明の図書購買支援装置及びコンピュータプログラムによれば、図書の購買担当の図書館員又はその委託者は、ブックフェアのような図書館から離れた場所で図書の購買を行う際に、購入予定図書の在庫や貸出状況等を前もって把握していなくても、あるいは電話で問い合わせることなく、購入予定図書の在庫や貸出状況を図書管理システムのコンピュータから取得することができる。その結果、購入対象図書及び購入数量を的確に決めることができる。
【図面の簡単な説明】
【図１】本発明の実施形態に係る図書購買支援装置を含む図書管理システムの概要を示す全体構成図である。
【図２】図書購買支援装置の制御部が図書購買支援用のプログラムにしたがって実行する処理のフローチャート（前半）である。
【図３】図書購買支援装置の制御部が図書購買支援用のプログラムにしたがって実行する処理のフローチャート（後半）である。
【図４】入力画面の表示例を示す図である。
【図５】在庫確認結果の画面の表示例を示す図である。
【図６】購入予算チェック画面の表示例を示す図である。
【図７】購入予算チェック画面において仮購入ボタンを押下したときの比較結果の表示例を示す図である。
【図８】購入予算チェック画面において仮購入ボタンを押下したときの比較結果の別の表示例を示す図である。
【符号の説明】
１  図書管理システムのコンピュータ
２  図書購買支援装置（携帯端末）
３  バーコードリーダ
６  記録媒体
２１  通信インターフェイス（通信手段）
２２  制御部
２３  表示部
２４  入力操作部
【図１】
2004258793.tif 000003
【図２】
2004258793.tif 000004
【図３】
2004258793.tif 000005
【図４】
2004258793.tif 000006
【図５】
2004258793.tif 000007
【図６】
2004258793.tif 000008
【図７】
2004258793.tif 000009
【図８】
2004258793.tif 000010
【手続補正書】
【提出日】平成15年2月25日(2003.2.25)
【手続補正１】
【補正対象書類名】明細書
【補正対象項目名】００１７
【補正方法】変更
【補正の内容】
【００１７】
バーコードリーダ３は、携帯端末２の機能拡張端子（いわゆる外部メモリスロット又は拡張スロット）を介して携帯端末２と通信を行うための通信インターフェイスを備えている。このような通信インターフェイスのハードウェアとして、例えばＣＦ〔コンパクトフラッシュ（登録商標）〕カードコネクタがある。なお、バーコードリーダ一体型の携帯端末を用いてもよい。